(57)【特許請求の範囲】
【請求項１】
内張りを内側パネルの車内側表面に固定している内張り用クリップの頭部を該内張り用クリップの係止部から切除することにより内張りを内側パネルから取り外し可能ならしめ、内張りを内側パネルから取り外した後、内側パネルを取り外すと共に内張り用クリップの係止部を除去し、パネル間配設物の交換、修理等の所定の作業を行なった後、再び内側パネルを取り付け、該内側パネルの元の位置に内張りを合わせ、内張りと内側パネルとにおける前記係止部を挿通させていた透孔には一端に支持板を備えた別の係止部を嵌着し、当該別の係止部の該支持板上に前記切除された頭部を接着するようにしたことを特徴とする、自動車内における内張り用クリップの付け替え方法。
【請求項２】
前記別の係止部は周囲に係止突条を備えていることを特徴とする、請求項１の自動車内における内張り用クリップの付け替え方法。 
【発明の詳細な説明】
【０００１】
【発明の属する技術分野】
本発明は、自動車内における内張り用クリップの付け替え方法に関するものである。
【０００２】
特許請求の範囲を含む本明細書における「パネル間配設物」とは、自動車における内側パネルと外側パネルとの間の空間に配設された窓ガラス昇降用モータ、配線等をいうものとする。内側パネルと外側パネルにはドアパネルにおける内側パネルと外側パネルが含まれる。
【０００３】
パネル間配設物の交換、修理等を行なう際には、一旦内側パネルを取り外す必要がある。しかして、内側パネルの車内側表面には内張りが内張り用クリップにより固定されているため、内側パネルを取り外すためには、まず内張り用クリップを除去して内張りを内側パネルから取り外さなければならない。続いて内側パネルを取り外し、パネル間配設物の交換、修理等を行なった後、再び内側パネルを取り付けると共に内側パネルの車内側表面に内張りを内張り用クリップにより固定するのである。即ち、内側パネルの車内側表面に対する内張りの取り外しと取り付けとを行なう際に内張り用クリップの付け替えを行なうのであるが、本発明はこのような内張り用クリップの付け替えを行なう方法に係るものである。
【０００４】
【従来の技術】
内張り用クリップとしては、一端に頭部を備えた係止部の他端を略矢印状に形成してなるものが一般に使用されている。パネル間配設物の交換、修理等を行なう際には、一般に、内張り用クリップの頭部を破壊することにより内張りを内側パネルから取り外し可能ならしめ、内張りを内側パネルから取り外した後、内側パネルを取り外すと共に内張り用クリップの係止部を除去する。パネル間配設物の交換、修理等の所定の作業を行なった後、再び内側パネルを取り付け、内張りと内側パネルとにおける前記係止部を挿通させていた透孔に新しい内張り用クリップを嵌着することにより内張りを内側パネルの車内側表面に固定するという手法が取られている。
【０００５】
【発明が解決しようとする課題】
しかるに、内張り用クリップにおける頭部の寸法、形状、色彩、模様等は種々に相違しているが、パネル間配設物の交換、修理等を行なう際に、破壊した内張り用クリップと同一の寸法、形状、色彩、模様等を備えた頭部を有する新しい内張り用クリップを使用することが望まれる。蓋し、同一の自動車内においては、同一の寸法、形状、色彩、模様等を備えた頭部を有する内張り用クリップを統一的に使用することが車内のデザイン上好ましいからである。しかるに、破壊した内張り用クリップと同一の寸法、形状、色彩、模様等を備えた頭部を有する新しい内張り用クリップを入手することは極めて困難である。
【０００６】
このような状況に鑑み、本発明は、パネル間配設物の交換、修理等を行なうに当り、取り外した内張り用クリップの頭部と同一の寸法、形状、色彩、模様等を備えた頭部を有する新しい内張り用クリップを入手することができない場合においても、付け替えた内張り用クリップの頭部と当該自動車内における他の内張り用クリップの頭部との間における寸法、形状、色彩、模様等の同一性を確保しようとしてなされたものである。
【０００７】
【課題を解決するための手段】
上記課題を解決するために、本発明は下記の自動車内における内張り用クリップの付け替え方法を提供するものである。
【０００８】
（１）内張りを内側パネルの車内側表面に固定している内張り用クリップの頭部を該内張り用クリップの係止部から切除することにより内張りを内側パネルから取り外し可能ならしめ、内張りを内側パネルから取り外した後、内側パネルを取り外すと共に内張り用クリップの係止部を除去し、パネル間配設物の交換、修理等の所定の作業を行なった後、再び内側パネルを取り付け、該内側パネルの元の位置に内張りを合わせ、内張りと内側パネルとにおける前記係止部を挿通させていた透孔には一端に支持板を備えた別の係止部を嵌着し、当該別の係止部の該支持板上に前記切除された頭部を接着するようにしたことを特徴とする、自動車内における内張り用クリップの付け替え方法（請求項１）。
【０００９】
（２）前記別の係止部は周囲に係止突条を備えている（請求項２）。
【００１０】
【発明の実施の形態】
次に、本発明の実施の形態を添付図面に従って説明する。
【００１１】
内張り１は、図１に示すように、内張り用クリップ３により内側パネル５の車内側表面（図１における上面）に固定されている。内張り用クリップ３は係止部３ａの一端に頭部３ｂを備えさせてなるものである。符号７に示すものは外側パネルである。内側パネル５と外側パネル７との間にパネル間配設物（図示せず。）が配設されている。
【００１２】
パネル間配設物の交換、修理等の作業に伴う内張り用クリップの付け替えは下記の如く行われる。
【００１３】
▲１▼内張り用クリップの頭部の切除
内張り１を内側パネル５の車内側表面に固定している内張り用クリップ３の頭部３ｂを該内張り用クリップ３の係止部３ａから切除することにより内張り１を内側パネル５から取り外し可能ならしめる。図２参照。切除した頭部３ｂはこれを暫時保管する。
【００１４】
▲２▼内張りの取り外し
内張り１を内側パネル５から取り外し、内側パネル５を露出させる。
【００１５】
▲３▼内側パネルの取り外しと内張り用クリップの除去
内側パネル５を取り外すと共に内張り用クリップ３の係止部３ａを内側パネル５から除去する。
【００１６】
▲４▼パネル間配設物の交換、修理等
パネル間配設物の交換、修理等の所定の作業を行なう。
【００１７】
▲５▼内側パネルの取り付けと内側パネルに対する内張りの位置合わせ
パネル間配設物の交換、修理等が完了した後、再び内側パネル５を元の位置に取り付け、該内側パネル５における元の位置に内張り１を合わせる。
【００１８】
▲６▼別の係止部の嵌着
内張り１と内側パネル５とにおける前記係止部３ａを挿通させていた透孔９には別の係止部１１を嵌着する。図３、図４参照。当該別の係止部１１は、好ましくは、棒状部１１ａの一端に支持板１１ｂを備えさせ、該棒状部１１ａの周囲に係止突条１１ｃを備えさせてなるものとする。係止突条１１ｃは透孔９に好ましく食い込む。係止突条１１ｃは、図３〜図５に示すように、多数の環状突条よりなるものであってもよいが、連続する螺旋状の突条であっても差し支えない。
【００１９】
▲７▼切除された頭部の接着
当該別の係止部１１の支持板１１ｂ上に前記切除された頭部３ｂを接着する。図５参照。頭部３ｂの接着面に凹凸がある場合には、必要に応じて該接着面を平らにする。この頭部３ｂは元の内張り用クリップ３の頭部であるから、当該自動車内における他の内張り用クリップの頭部と同一の寸法、形状、色彩、模様等を備えていることはいうまでもない。
【００２０】
【発明の効果】
以上説明したように、本発明によれば、内張り用クリップの付け替えを行なう際に、元の内張り用クリップの頭部を係止部から切除し、該頭部を新しい別の係止部の支持板上に接着するようにしているため、元の内張り用クリップの頭部と同一の寸法、形状、色彩、模様等を備えた頭部を有する新しい内張り用クリップを入手することができない場合においても、付け替えた内張り用クリップの頭部と当該自動車内における他の内張り用クリップの頭部との間における寸法、形状、色彩、模様等の同一性が確保される。
【図面の簡単な説明】
【図１】内張りが内張り用クリップにより内側パネルの車内側表面に固定されている状態を示す断面図である。
【図２】内張り用クリップの頭部を切除した状態を示す断面図である。
【図３】別の係止部と透孔とを示す断面図である。
【図４】別の係止部を透孔に嵌着した状態を示す断面図である。
【図５】別の係止部の支持板上に切除された頭部を接着した状態を示す断面図である。
【符号の説明】
１  内張り
３  内張り用クリップ
３ａ  係止部
３ｂ  頭部
５  内側パネル
７  外側パネル
９  透孔
１１  別の係止部
１１ａ  棒状部
１１ｂ  支持板
１１ｃ  係止突条
【図１】
0003708831.tif 000002
【図２】
0003708831.tif 000003
【図３】
0003708831.tif 000004
【図４】
0003708831.tif 000005
【図５】
0003708831.tif 000006